(57)【要約】【課題】  撮影ブースから編集ブースに移動した後でもユーザが追加的に撮影を行うことができるようにする。【解決手段】  撮影ブース２には、ＣＣＤカメラ２０および撮影モニタ２１からなる撮影ユニット２２などが設けられている。編集ブース３の正面ほぼ中央に操作台３０が配設され、この操作台３０のほぼ中央に撮影画像の表示や編集操作に用いられる表示パネル３１が設けられている。この表示パネル３１の左右には操作ボタン群３２Ｌ，３２Ｒおよびタッチペン３３Ｌ，３３Ｒが設けられている。また、表示パネル３１のすぐ下方には接続ケーブル３４を介してハンドカメラ３５が配設されている。このハンドカメラ３５は、撮影ブース２から編集ブース３に移動してきたユーザが追加撮影を行うためのもので、接続ケーブル３４によりコントローラ部１００に電気的に接続されている。【選択図】  図１
2006284644.tif 000002
【特許請求の範囲】
【請求項１】
撮影ブースに配置され使用者を被写体として撮影する第１撮影手段と、
前記撮影ブースと異なる位置に設けられた編集ブースに配置され前記第１撮影手段により使用者を撮影して得られる被写体画像を表示する表示手段と、
前記編集ブースに配置され前記表示手段に表示される被写体画像を編集対象として編集を行う編集手段とを備え、
前記撮影ブースでの撮影と前記編集ブースでの編集とを異なる使用者により同時に実行可能に構成され、前記被写体画像に必要な編集を施した印刷データに基づく写真をシール台紙に印刷してシール取出口に排出する写真シール払出装置において、
前記被写体画像と同様に編集対象となる編集対象画像と、編集対象に対する編集に用いる装飾画像との少なくとも一方を得るための撮影を行う第２撮影手段を前記編集ブースに配置したことを特徴とする写真シール払出装置。
【請求項２】
前記第２撮影手段は、少なくとも前記編集対象画像を得るための撮影を行うもので、
前記編集手段は、前記表示手段に前記第１撮影手段および前記第２撮影手段で撮影された画像のうちのいずれか２つを並べて表示し、表示された画像を編集対象としてそれぞれ個別に並行して編集を行う
ことを特徴とする請求項１に記載の写真シール払出装置。
【請求項３】
前記第２撮影手段は、少なくとも前記装飾画像を得るための撮影を行うもので、
前記編集手段は、前記第２撮影手段により撮影した画像を加工して前記装飾画像を作成する
ことを特徴とする請求項１または２に記載の写真シール払出装置。
【請求項４】
前記編集手段は、作成した前記装飾画像に対応するアイコンを前記表示手段に編集対象となる画像とともに併記表示し、前記アイコンが指示されると前記編集対象となる画像に前記装飾画像を重畳表示する
ことを特徴とする請求項３に記載の写真シール払出装置。
【請求項５】
前記撮影ブースにおいて前記第１撮影手段を用いて撮影を行った使用者が前記撮影ブースから前記編集ブースに移動した後、さらに前記第２撮影手段を用いて複数の追加撮影を行うことが可能に構成されている
ことを特徴とする請求項１ないし４のいずれかに記載の写真シール払出装置。
【請求項６】
前記編集ブースが複数設けられ、各編集ブースそれぞれに前記第２撮影手段が配置されていることを特徴とする請求項１ないし５のいずれかに記載の写真シール払出装置。
【請求項７】
前記第２撮影手段が、
使用者により把持可能に配設されたカメラと、
前記編集手段と前記カメラとを電気的に接続する配線ケーブルと
を備えたことを特徴とする請求項１ないし６のいずれかに記載の写真シール払出装置。
【請求項８】
前記第２撮影手段が、
前記編集ブースに固定されたカメラ
を備えたことを特徴とする請求項１ないし６のいずれかに記載の写真シール払出装置。
【発明の詳細な説明】
【技術分野】
【０００１】
この発明は、コイン投入口への所定の遊技代金のコイン投入により起動し、写真シールを払い出す写真シール払出装置に関するものである。
【背景技術】
【０００２】
従来、１人あるいは友人同士の複数人で撮影した写真に、好みの文字や図形等を書き込んで編集した合成画像をシール台紙に印刷して払い出す写真シール払出装置（通常、プリントクラブと称される）が、遊技場を始めとする各所に設置されている。この種の装置は、コイン投入口への所定の遊技代金のコイン投入により起動して所定の制限時間内において、好みのポーズをとっているユーザを例えばデジタルカメラからなる撮影手段により撮影して、そのユーザの写真を表示画面に表示し、ユーザが所望の文字や図形を書き込むために、写真が表示される表示画面に対して落書き用のタッチペンを設け、タッチペンにより書き込まれる文字や図形等の落書き画像を、表示画面に表示されるユーザの写真に重畳描画して編集を施し、プリンタにより編集済みの写真をシール台紙に印刷してシール取出口へ排出するようになっている（例えば、特許文献１参照）。この特許文献１に記載の装置では、撮影ブースと編集ブースとを別々に設けており、撮影の終了したユーザは撮影ブースから編集ブースに移動して編集を行い、撮影ブースでは次のユーザによる撮影を可能にすることで、装置の利用効率の向上を図っている。
【０００３】
【特許文献１】特開２００２−２１６２３９号公報（図１）
【発明の開示】
【発明が解決しようとする課題】
【０００４】
上記従来の特許文献１に記載の写真シール払出装置では、編集ブースに移動したユーザが、撮影ブースで撮影した写真に満足できずに編集中に撮影を再度行いたいと思ったり、あるいは、ユーザ自身が持ち込んだぬいぐるみや帽子などを撮影して編集用のツールとして利用したいと思っても、撮影ブースに戻って撮影することはできず、そのまま編集を続けるしかなかった。
【０００５】
本発明は、上記課題に鑑みてなされたもので、撮影ブースから編集ブースに移動した後でもユーザが追加的に撮影を行うことができる写真シール払出装置を提供することを目的とする。
【課題を解決するための手段】
【０００６】
上記目的を達成するために、本発明にかかる写真シール払出装置は、撮影ブースに配置され使用者を被写体として撮影する第１撮影手段と、前記撮影ブースと異なる位置に設けられた編集ブースに配置され前記第１撮影手段により使用者を撮影して得られる被写体画像を表示する表示手段と、前記編集ブースに配置され前記表示手段に表示される被写体画像を編集対象として編集を行う編集手段とを備え、前記撮影ブースでの撮影と前記編集ブースでの編集とを異なる使用者により同時に実行可能に構成され、前記被写体画像に必要な編集を施した印刷データに基づく写真をシール台紙に印刷してシール取出口に排出する写真シール払出装置において、前記被写体画像と同様に編集対象となる編集対象画像と、編集対象に対する編集に用いる装飾画像との少なくとも一方を得るための撮影を行う第２撮影手段を前記編集ブースに配置したことを特徴としている（請求項１）。
【０００７】
また、前記第２撮影手段は、少なくとも前記編集対象画像を得るための撮影を行うもので、前記編集手段は、前記表示手段に前記第１撮影手段および前記第２撮影手段で撮影された画像のうちのいずれか２つを並べて表示し、表示された画像を編集対象としてそれぞれ個別に並行して編集を行うとしてもよい（請求項２）。
【０００８】
また、前記第２撮影手段は、少なくとも前記装飾画像を得るための撮影を行うもので、前記編集手段は、前記第２撮影手段により撮影した画像を加工して前記装飾画像を作成するとしてもよい（請求項３）。
【０００９】
また、前記編集手段は、作成した前記装飾画像に対応するアイコンを前記表示手段に編集対象となる画像とともに併記表示し、前記アイコンが指示されると前記編集対象となる画像に前記装飾画像を重畳表示するとしてもよい（請求項４）。
【００１０】
また、前記撮影ブースにおいて前記第１撮影手段を用いて撮影を行った使用者が前記撮影ブースから前記編集ブースに移動した後、さらに前記第２撮影手段を用いて複数の追加撮影を行うことが可能に構成されているとしてもよい（請求項５）。
【００１１】
また、前記編集ブースが複数設けられ、各編集ブースそれぞれに前記第２撮影手段が配置されているとしてもよい（請求項６）。
【００１２】
また、前記第２撮影手段が、使用者により把持可能に配設されたカメラと、前記編集手段と前記カメラとを電気的に接続する配線ケーブルとを備えたとしてもよい（請求項７）。
【００１３】
また、前記第２撮影手段が、前記編集ブースに固定されたカメラを備えたとしてもよい（請求項８）。
【発明の効果】
【００１４】
請求項１に記載の発明によれば、被写体画像と同様に編集対象となる編集対象画像と、編集対象に対する編集に用いる装飾画像との少なくとも一方を得るための撮影を行う第２撮影手段を編集ブースに配置しているため、編集ブースでも追加的に撮影を行うことができ、編集ブースでは編集のみしか行えなかった従来装置に比べて、使用者の満足度を向上することができる。
【００１５】
また、請求項２に記載の発明によれば、第１撮影手段で撮影された画像と、第２撮影手段で撮影された編集対象画像のうちのいずれか２つを表示手段に並べて表示し、表示された画像を編集対象としてそれぞれ個別に並行して編集が行われるため、使用者は、第１撮影手段で撮影した２つの画像、第２撮影手段で撮影した２つの画像、または第１撮影手段で撮影した１つの画像と第２撮影手段で撮影した１つの画像を編集対象として、それぞれ個別に並行して編集を行うことが可能になり、複数の使用者が、それぞれ編集を楽しむことができる。また、撮影ブースでの撮影結果に満足できなかった使用者でも、撮影ブースでの撮影とは異なるポーズでの撮影を追加的に行い、その画像に対する編集を行うことができるため、使用者の満足度をさらに向上することができる。
【００１６】
また、請求項３に記載の発明によれば、第２撮影手段により撮影した画像を加工して編集に用いる装飾画像が作成されるため、使用者は自らが作成したオリジナルの装飾画像を用いて編集対象となる画像を編集することが可能になり、使用者の満足度をさらに向上することができる。ここで、第２撮影手段による撮影は、使用者を被写体としたり、使用者が自ら持ち込んだものを被写体としたり、あるいは予め装置の付属物として準備されているものを被写体としてもよく、これによってバラエティに富んだ装飾画像を作成することが可能になり、使用者の満足度を一層向上することができる。
【００１７】
また、請求項４に記載の発明によれば、作成した装飾画像に対応するアイコンを表示手段に編集対象となる画像とともに併記表示し、アイコンが指示されると編集対象となる画像に装飾画像が重畳表示されるため、アイコンを指示するだけの簡易な操作で、オリジナルの装飾画像を用いた編集を容易に行うことができる。
【００１８】
また、請求項５に記載の発明によれば、第１撮影手段を用いて撮影を行った使用者が撮影ブースから編集ブースに移動した後、さらに第２撮影手段を用いて複数の追加撮影を行うことが可能に構成されているため、撮影ブースでの撮影とは異なるポーズでの撮影を追加的に行うことができ、使用者の満足度をさらに向上することができる。ここで、複数の追加撮影は、編集対象画像を得るための複数の撮影でもよく、装飾画像を得るための複数の撮影でもよい。あるいはまた、編集対象画像および装飾画像の双方を得るための撮影であってもよく、これによって第２撮影手段の撮影で得られた画像を使用者の好みに応じて用いることができ、使用者の満足度をさらに一層向上することができる。
【００１９】
また、請求項６に記載の発明によれば、編集ブースが複数設けられているため、撮影ブースでの撮影が終了した使用者を順に各編集ブースに振り分けることで、編集ブースが１つの場合に比べて編集ブースでの編集時間を延ばすことができ、これによって、各使用者は編集作業をゆっくり楽しむことができる。また、各編集ブースそれぞれに第２撮影手段が配置されているため、各編集ブースで追加的に撮影を行うことができ、いずれの編集ブースにおいても使用者の満足度を向上することができる。
【００２０】
また、請求項７に記載の発明によれば、第２撮影手段が、使用者により把持可能に配設されたカメラと、編集手段とカメラとを電気的に接続する配線ケーブルとを備えているため、使用者は好みの角度で自由に撮影を行うことができ、使用者の満足度をさらに向上することができる。
【００２１】
また、請求項８に記載の発明によれば、第２撮影手段が、編集ブースに固定されたカメラを備えているため、使用者は撮影ブースと同様に好みのポーズで自由に撮影を行うことができ、使用者の満足度をさらに向上することができる。
【発明を実施するための最良の形態】
【００２２】
図１はこの発明の一実施形態である写真シール払出装置の外観斜視図、図２は図１の写真シール払出装置の電気的構成を示すブロック図である。この写真シール払出装置１は、ユーザが撮影を行うための撮影ブース２と、撮影を終了したユーザが編集および印刷を行うための２箇所の編集ブース３，４とを備え、それぞれカーテン（図示省略）などにより外部との境界が仕切られており、撮影ブース２と、編集ブース３と、編集ブース４とをそれぞれ異なるユーザが同時に利用可能に構成されている。
【００２３】
撮影ブース２には、ＣＣＤカメラ２０および撮影モニタ２１からなる撮影ユニット２２、例えば液晶ディスプレイパネルからなる表示パネル２３、例えば蛍光灯などの各種光源からなる照明機器２４、コイン投入口２５、操作ボタン群２６などが設けられている。そして、ＣＣＤカメラ２０がユーザのシャッター操作に応じて被写体の写真を撮影する一方、撮影モニタ２１には現在ＣＣＤカメラ２０に映る被写体のモニタ画像が表示され、ユーザはこの撮影モニタ２１に表示されるモニタ画像を見ながら撮影する写真の構図を決めたり、自分自身のポーズを確認することができるようになっている。また、この撮影ユニット２２は所定の範囲内で撮影方向を上下左右に可動自在となっており、ユーザが写真の構図を自由に設定できるようになっている。表示パネル２３は、ゲーム進行・操作の画面を表示するもので、表示パネル２３の画面表示にしたがって操作することで、ユーザは写真撮影を容易に行えるようになっている。
【００２４】
編集ブース３の正面ほぼ中央には、ユーザが操作し易い高さの操作台３０が配設されている。この操作台３０には、ほぼ中央に撮影画像の表示や編集操作に用いられる表示パネル３１が設けられている。また、操作台３０上において、表示パネル３１の左方には左操作ボタン群３２Ｌおよび左タッチペン３３Ｌが設けられ、表示パネル３１の右方には右操作ボタン群３２Ｒおよび右タッチペン３３Ｒが設けられている。この表示パネル３１は、例えば液晶ディスプレイパネルからなる画面表示パネルと、タッチペン３３Ｌ，３３Ｒによる表面の接触位置検出用のデジタイザとを備え、画像編集（落書き）処理の画面を表示するものである。
【００２５】
また、表示パネル３１のすぐ下方には接続ケーブル３４を介してハンドカメラ３５が配設されている。このハンドカメラ３５は、例えば周知の液晶モニタ付きのデジタルカメラからなり、撮影ブース２から編集ブース３に移動してきたユーザが追加撮影を行うためのもので、フレキシブル接続ケーブル３４によりコントローラ部１００に電気的に接続されている。ハンドカメラ３５は、この実施形態ではカメラの電源スイッチ（図示省略）をオンにすることで起動するようになっている。また、編集ブース３の上部には照明機器３６が配設されている。また、フルカラー式のプリンタ３７は、写真をシール台紙に印刷してシール取出口に排出するものである。なお、編集ブース４は編集ブース３と同様に構成されている。このように、この実施形態では、撮影ユニット２２（ＣＣＤカメラ２０）が本発明の「第１撮影手段」に相当し、ハンドカメラ３５が本発明の「第２撮影手段」に相当する。
【００２６】
コントローラ部１００は、写真シール払出装置１の筐体内部に配設され、写真シール払出装置１の各部を制御するものである。ＣＰＵ１０１は、予め設定されたプログラムを実行することで写真シール払出装置１の各部を制御する。メモリ部１０２は、このＣＰＵ１０１が実行するプログラムを保持するＲＯＭと各種データを一時記憶するＲＡＭとを備えている。ハードディスク（ＨＤ）装置１０３は各種の画像データ等を記憶する大容量の記憶装置である。
【００２７】
このＣＰＵ１０１は、メモリ部１０２に記憶されたプログラムを実行することで、撮影ブース２でのユーザによる撮影ユニット２２を用いた撮影プレイを制御する。すなわちＣＰＵ１０１は、撮影ブース２の表示パネル２３の表示処理を行う表示処理部１０４に制御信号を出力して表示パネル２３の画面表示を制御する。また、ＣＰＵ１０１は、撮影ブース２の操作ボタン群２６から操作入力部１０５に入力される入力信号に基づき操作ボタン群２６に対する操作の有無を検出する。そして、ＣＰＵ１０１は、撮影ユニット２２により撮影された写真の画像データをＨＤ装置１０３に格納する。
【００２８】
また、ＣＰＵ１０１は、メモリ部１０２に記憶されたプログラムを実行することで、撮影プレイが終了して撮影ブース２から移動したユーザによる編集ブース３，４での落書きプレイを制御するとともに、ハンドカメラ３５による追加撮影を制御する。すなわちＣＰＵ１０１は、編集ブース３の表示パネル３１の表示処理を行う表示処理部１０６に制御信号を出力して、表示パネル３１の画面表示を制御する。また、ＣＰＵ１０１は、表示パネル３１のデジタイザから操作入力部１０７に入力される入力信号に基づき、タッチペン３３Ｌ，３３Ｒによる表面の接触位置を検出する。また、ＣＰＵ１０１は、編集ブース３の操作ボタン群３２Ｌ，３２Ｒから操作入力部１０７に入力される入力信号に基づき、操作ボタン群３２Ｌ，３２Ｒに対する操作の有無を検出する。そして、ＣＰＵ１０１は、ハンドカメラ３５により撮影された写真の画像データをＨＤ装置１０３に格納する。また、ＣＰＵ１０１は、ユーザにより選択された写真の画像データを印刷出力部１０６に出力してプリンタ３７により写真シールを印刷させる。
【００２９】
次に、図３〜図７を参照して、コントローラ部１００（ＣＰＵ１０１）により制御される編集ブース３での落書きプレイについて説明する。図３〜図７はそれぞれ落書きプレイ中における表示パネル３１の表示画面を示す図である。なお、編集ブース４での落書きプレイも同様に行われるので、説明を省略する。
【００３０】
落書きプレイ中の表示パネル３１の表示画面は、図３に示すように、ほぼ中央に設けられた第１候補写真領域４１と、この第１候補写真領域４１の下方に設けられた第２候補写真領域４２と、候補写真領域４１，４２の左右にそれぞれ設けられた落書き編集領域４３Ｌ，４３Ｒと、落書き編集領域４３Ｌ，４３Ｒの下方にそれぞれ設けられた画像編集アイテム選択パレット４４Ｌ，４４Ｒとを有し、第２候補写真領域４２の下方には上から順に「ペン」アイコン４５、「スペシャル」アイコン４６、「スタンプ」アイコン４７、「フレーム」アイコン４８がそれぞれ表示されている。
【００３１】
第１候補写真領域４１は、撮影ブース２の撮影ユニット２２により撮影されユーザにより選択された編集候補写真の画像を表示するためのものである。また、第２候補写真領域４２は、編集ブース３のハンドカメラ３５により撮影された編集候補写真の画像を表示するためのものである。なお、ハンドカメラ３５による撮影回数は、この実施形態では例えば、６回に設定されており、第２候補写真領域４２には６個の写真の画像が表示されるようになっている。落書き編集領域４３Ｌ，４３Ｒは、それぞれ第１候補写真領域４１または第２候補写真領域４２の編集候補写真からユーザにより選択された編集対象写真の画像を表示するためのものである。
【００３２】
画像編集アイテム選択パレット４４Ｌ，４４Ｒは、それぞれ落書き用の画像編集アイテムを選択する選択アイコン４９Ｌ，４９Ｒを表示するためのものである。画像編集アイテムには、描画用の「ペン」、特別な装飾用の「スペシャル」、枠飾り用の「フレーム」、種々の図形やメッセージの「スタンプ」があり、全部で数百種類以上になる。そして、画像編集アイテム選択パレット４４Ｌ，４４Ｒには、画像アイテムの選択アイコン４９Ｌ，４９Ｒが、「ペン」、「スペシャル」、「スタンプ」、「フレーム」の種類別に、ページ単位で表示される。例えば図３では、画像編集アイテム選択パレット４４Ｌに、「ペン」の画像編集アイテムのうちの「シンプル」ページに対応する選択アイコン４９Ｌが表示され、画像編集アイテム選択パレット４４Ｒに、「スタンプ」の画像編集アイテムのうちの「オリジナル」ページに対応する選択アイコン４９Ｒが表示されている。そして、ユーザは、好みの選択アイコン４９Ｌ，４９Ｒにタッチペン３３Ｌ，３３Ｒをそれぞれ接触させて、落書きに用いる画像編集アイテムを選択する。このように、タッチペン３３Ｌ，３３Ｒ、落書き編集領域４３Ｌ，４３Ｒおよび画像編集アイテム選択パレット４４Ｌ，４４Ｒをそれぞれ左右に設けることにより、２人のユーザが左右に並び、それぞれ異なる写真を編集対象に選択して同時に落書きプレイを行えるようになっている。
【００３３】
そして、ＣＰＵ１０１は、この実施形態では、撮影ブース２の撮影ユニット２２により撮影された写真の画像を編集対象として落書きを行うとともに、編集ブース３のハンドカメラ３５により撮影された写真の画像を編集対象として落書きを行う機能を有する。すなわち、ユーザがタッチペン３３Ｌ，３３Ｒを第１候補写真領域４１に表示されている候補写真の画像に接触させると、その画像が落書き編集領域４３Ｌ，４３Ｒに編集対象写真の画像として表示され、タッチペン３３Ｌ，３３Ｒを第２候補写真領域４２に表示されている候補写真の画像に接触させると、その画像が落書き編集領域４３Ｌ，４３Ｒに編集対象写真の画像として表示される。図３はタッチペン３３Ｒを第２候補写真領域４２に表示されている候補写真の画像５１に接触させたときの表示画面を示しており、その画像５１が落書き編集領域４３Ｒに編集対象写真の画像５２として表示され、画像５１が編集対象となっている旨を示すマーク（図３では三角形）が画像５１に重畳表示されている。図３に示す状態で、撮影ブース２の撮影ユニット２２により撮影された写真と同様に、編集ブース３のハンドカメラ３５により撮影された写真を編集対象とする画像編集（落書き）が行われる。
【００３４】
また、ＣＰＵ１０１は、この実施形態では、編集ブース３のハンドカメラ３５により撮影された写真の画像を加工して落書きに用いる編集用の画像を作成する機能を有する。この機能について図４〜図７を参照して説明する。操作ボタン群３２Ｒのうちのスタンプ作成ボタン６０Ｒ（図１）をユーザが押すと、図４に示すように、落書き編集領域４３Ｒが編集ウィンドウ６１と編集エリア６２とに分割される。そして、ユーザがタッチペン３３Ｒを第２候補写真領域４２に表示されている候補写真の画像６３に接触させると、この画像６３がスタンプ作成対象の画像６４として編集エリア６２に表示されるとともに、画像編集アイテム選択パレット４４Ｒの画像編集アイテムが切り抜きツールとして使用可能になる。
【００３５】
次いで、タッチペン３３Ｒを画像編集アイテム選択パレット４４Ｒの例えばハートマークに対応する選択アイコン４９Ｒに接触させ、さらにタッチペン３３Ｒを編集エリア６２に接触させると、図５に示すように、ハートマーク６５が編集エリア６２の画像６４に重畳して表示される。そして、タッチペン３３Ｒを編集ウィンドウ６１の登録ボタン６６に接触させると、図６に示すように、編集ウィンドウ６１が閉じるとともに、ハートマークで切り抜かれた写真の画像が、画像編集アイテム選択パレット４４Ｒのなかで「スタンプ」の画像編集アイテムの「オリジナル」ページに登録され、選択アイコン４９Ｒとして表示される。
【００３６】
そして、図７に示すように、例えば第２候補写真領域４２に表示されている候補写真の画像５１が、落書き編集領域４３Ｒに編集対象写真の画像５２として表示されている状態で、タッチペン３３Ｒをユーザが作成したスタンプの選択アイコン４９Ｒに接触させ、さらに落書き編集領域４３Ｒに接触させると、その接触位置（図７では２箇所）にスタンプ６７が画像５２に重畳表示される。このように、この実施形態では、表示パネル３１が本発明の「表示手段」に相当し、操作ボタン群３２Ｌ，３２Ｒ、タッチペン３３Ｌ，３３ＲおよびＣＰＵ１０１が本発明の「編集手段」を構成する。
【００３７】
図８はＣＰＵ１０１によって制御される写真シール払出装置１の撮影ブース２における動作を示すフローチャートである。まず、電源が投入されて装置各部が起動されると、表示パネル２３にデモ画面を表示しつつコイン投入を待機する（ステップＳ１）。そして、ユーザによりコイン投入口２５から所定金額のコインが投入されると、タイマカウントを開始して規定の撮影時間（例えば５分間）を監視するとともに、表示パネル２３にゲーム進行・操作の画面を表示してユーザによる撮影コースやテーマなどの撮影条件の選択を誘導し（ステップＳ２）、その選択された撮影条件で撮影ユニット２２のＣＣＤカメラ２０により撮影が行われる（ステップＳ３）。
【００３８】
そして、規定の撮影時間内であれば（ステップＳ４でＹＥＳ）、ステップＳ２，Ｓ３が繰り返される。一方、規定の撮影時間が経過すると（ステップＳ４でＮＯ）、表示パネル２３にゲーム進行・操作の画面を表示してユーザが印刷を希望する写真の選択を誘導し（ステップＳ５）、次いで、表示パネル２３に編集ブース３への移動を促す画面を表示してユーザを編集ブース３に誘導する（ステップＳ６）。なお、ステップＳ６において編集ブース３が使用中のときは編集ブース４に誘導すればよい。
【００３９】
図９はＣＰＵ１０１によって制御される写真シール払出装置１の編集ブース３における動作を示すフローチャートである。なお、編集ブース４でも同様の動作が行われる。まず、電源が投入されて装置各部が起動されると、表示パネル３１にデモ画面を表示しつつユーザによる落書きを待機する（ステップＳ１１）。そして、ユーザが撮影ブース２から編集ブース３に移動してくると、ユーザによる落書きが開始される（ステップＳ１２）。このとき、ハンドカメラ３５の電源スイッチのオンオフが監視される（ステップＳ１３）。
【００４０】
そして、ハンドカメラ３５の電源スイッチがオンにされると（ステップＳ１３でＹＥＳ）、ハンドカメラ３５が起動され（ステップＳ１４）、ハンドカメラ３５による撮影が行われる（ステップＳ１５）。この場合には、撮影ブース２で撮影された写真の画像に加えて、図３を参照して説明したように、ハンドカメラ３５で撮影された写真の画像を編集対象とする落書きも可能になる。また、図４〜図７を参照して説明したように、ハンドカメラ３５で撮影された写真の画像から例えばスタンプなどの編集用の画像を作成することもできる。一方、ハンドカメラ３５の電源スイッチがオンにされなければ（ステップＳ１３でＮＯ）、撮影ブース２で撮影された写真の画像のみを編集対象として落書きが行われる。
【００４１】
そして、落書きが終了すると（ステップＳ１６）、表示パネル３１にゲーム進行・操作の画面を表示してユーザによる印刷写真の分割パターンの選択を誘導し（ステップＳ１７）、プリンタ３７により写真シールが印刷されて（ステップＳ１８）、ゲームが終了する（ステップＳ１９）。
【００４２】
以上説明したように、この実施形態によれば、ハンドカメラ３５を編集ブース３，４に配置しているため、撮影ブース２で撮影が終了して編集ブース３，４に移動してきたユーザが、編集ブース３，４でも追加的に撮影を行うことができる。したがって、例えば異なるポーズでの撮影を行えるなど、編集ブースでは編集のみしか行えなかった従来装置に比べて、ユーザの満足度を向上することができる。
【００４３】
また、この実施形態によれば、タッチペン３３Ｌ，３３Ｒ、落書き編集領域４３Ｌ，４３Ｒおよび画像編集アイテム選択パレット４４Ｌ，４４Ｒをそれぞれ左右に設けているため、２人のユーザが左右に並び、それぞれ異なる写真を編集対象に選択して同時に落書きプレイを行える。したがって、２人のユーザがそれぞれ楽しむことができる。また、表示パネル３１は、撮影ユニット２２により撮影された写真の画像を表示するための第１候補写真領域４１と、ハンドカメラ３５により撮影された写真の画像を表示するための第２候補写真領域４２とを備えているため、撮影ユニット２２およびハンドカメラ３５のいずれで撮影された写真の画像についても編集対象として落書きを行うことができる。したがって、ユーザの満足度をさらに向上することができる。
【００４４】
また、この実施形態によれば、ハンドカメラ３５により撮影した写真の画像６４を加工してスタンプ６７を作成しているため、ユーザは自分で作成したオリジナルのスタンプ６７を用いて編集対象の画像に落書きをすることができ、ユーザの満足度をさらに向上することができる。
【００４５】
また、この実施形態によれば、作成したスタンプ６７を含む画像編集アイテムに対応する選択アイコン４９Ｌ，４９Ｒを表示する画像編集アイテム選択パレット４４Ｌ，４４Ｒと、編集対象の画像を表示するための落書き編集領域４３Ｌ，４３Ｒとを表示パネル３１に併記表示し、選択アイコン４９Ｌ，４９Ｒにタッチペン３３Ｌ，３３Ｒを接触させることで該選択アイコン４９Ｌ，４９Ｒを指示すると編集対象の画像に画像編集アイテム（編集用の画像）が重畳表示されるため、選択アイコン４９Ｌ，４９Ｒを指示するだけの簡易な操作で落書きを容易に行うことができる。
【００４６】
また、この実施形態によれば、２つの編集ブース３，４を備えているため、撮影ブース２で撮影が終了したユーザを順に編集ブース３，４に振り分けることで、編集ブースが１つの場合に比べて編集ブースでの編集時間を延ばすことができ、これによって、各ユーザは編集作業をゆっくり楽しむことができる。また、ハンドカメラ３５とコントローラ部１００とを電気的に接続する接続ケーブル３４を介してハンドカメラ３５を操作台３０に配設しているため、ユーザは好みの角度で自由に撮影を行うことができ、ユーザの満足度をさらに向上することができる。
【００４７】
なお、本発明は上記した実施形態に限定されるものではなく、その趣旨を逸脱しない限りにおいて上述したもの以外に種々の変更を行うことが可能である。例えば、接続ケーブル３４を介してハンドカメラ３５を操作台３０に配設しているが、これに限られず、接続ケーブルを備えずに、ハンドカメラ３５を操作台３０に固定するようにしてもよい。この場合には、ユーザは、撮影ブース２における撮影と同様に、好みのポーズで撮影を行うことができる。なお、ハンドカメラ３５を操作台３０に固定する場合には、ハンドカメラ３５の角度をユーザの操作により変更可能に構成してもよい。
【００４８】
また、上記実施形態では、ハンドカメラ３５の電源スイッチのオンオフを監視し（図９のステップＳ１３）、電源スイッチがオンにされたときにハンドカメラ３５を起動するようにしているが、これに限られず、ハンドカメラ３５を常に電源オンの状態に保持し、シャッタボタンが押されたときにいつでも撮影できるようにしておいてもよい。
【００４９】
また、上記実施形態では、ハンドカメラ３５によりユーザを被写体として撮影する例について説明しているが、ハンドカメラ３５の撮影対象は人物に限られない。例えば装置１の付属物として撮影対象とすることが可能な静物を準備しておいてもよく、あるいはユーザの持ち物を撮影するようにしてもよい。
【００５０】
また、上記実施形態では２つの編集ブース３，４を備えているが、これに限られず、編集ブースは１つだけでもよい。また、編集ブースを３つ以上備えるようにしてもよく、その場合には、編集時間をさらに延ばすことができ、編集作業（落書き）を楽しみたいユーザをさらに引き付けることができる。
【００５１】
また、表示パネル２３，３１は、液晶ディスプレイパネルに限られず、ＣＲＴ方式、プラズマディスプレイパネル、リアプロジェクション方式など、いずれの方式であってもよい。また、表示パネル３１のデジタイザとしては、赤外線方式、容量結合方式など、種々の方式が考えられるが、タッチペン３３Ｌ，３３Ｒとの組合せによって使用できるものであって、複数の入力を識別することができるものであれば、どのような方式のものであってもよい。また、デジタイザに代えて例えば抵抗膜式のタッチパネルを用いてもよい。
【図面の簡単な説明】
【００５２】
【図１】この発明の一実施形態である写真シール払出装置の外観斜視図である。
【図２】図１の写真シール払出装置の電気的構成を示すブロック図である。
【図３】落書きプレイ中における表示パネルの表示画面を示す図である。
【図４】落書きプレイ中における表示パネルの表示画面を示す図である。
【図５】落書きプレイ中における表示パネルの表示画面を示す図である。
【図６】落書きプレイ中における表示パネルの表示画面を示す図である。
【図７】落書きプレイ中における表示パネルの表示画面を示す図である。
【図８】撮影ブースにおける動作を示すフローチャートである。
【図９】編集ブースにおける動作を示すフローチャートである。
【符号の説明】
【００５３】
１…写真シール払出装置、２…撮影ブース、３，４…編集ブース、２０…ＣＣＤカメラ（第１撮影手段）、２２…撮影ユニット（第１撮影手段）、３１…表示パネル（表示手段）、３２Ｌ，３２Ｒ…操作ボタン群、３３Ｌ，３３Ｒ…タッチペン、３４…接続ケーブル、３５…ハンドカメラ（第２撮影手段）、１００…コントローラ部、１０１…ＣＰＵ（編集手段）
【図１】
2006284644.tif 000003
【図２】
2006284644.tif 000004
【図３】
2006284644.tif 000005
【図４】
2006284644.tif 000006
【図５】
2006284644.tif 000007
【図６】
2006284644.tif 000008
【図７】
2006284644.tif 000009
【図８】
2006284644.tif 000010
【図９】
2006284644.tif 000011